(57)【要約】【課題】ユーザが自己の携帯用工具であることを識別できるように、ユーザの好みに合わせて携帯用工具の外枠部を様々にカラーリングでき、作業時に相手材を汚さず、携帯用工具にキズ等がついたりしても、カラーリングされたデザインを損ねず、且つ、メーカーが低コストで提供できる携帯用工具用カバー、携帯用工具と携帯用工具用カバーとの組合せ、及び携帯用工具と携帯用工具用カバーと携帯用工具用シートとの組合せの提供。【解決手段】携帯用工具１の外枠部１４は、ネジ座１４Ｃを備えたハンマケース１４Ｂを有する。ハンマケース１４Ｂ上には携帯用工具用シート３１が装着され、その上からネジ座１４Ｃを含めたハンマケース１４Ｂの全体を覆うようにして、光透過性の携帯用工具用カバー４０が装着される。【選択図】  図３
2004174688.tif 000002
【特許請求の範囲】
【請求項１】
バッテリ若しくは商用電源から供給される電力又は圧縮空気によって駆動される動力部と、該動力部によって駆動される機構部と、少なくとも該動力部、及び該機構部を覆う外枠部とを備える携帯用工具の該外枠部の外部に装着される携帯用工具用カバーであって、
該外枠部の外側面上には情報を表示するための携帯用工具用シートを載置可能又は接着可能であり、
該カバーは、光透過性を有すると共に、該外枠部上に載置又は接着された該携帯用工具用シートの全体及び該外枠部の少なくとも一部を覆うようにして該外枠部に着脱可能に装着されることを特徴とする携帯用工具用カバー。
【請求項２】
透明又は半透明の樹脂からなることを特徴とする請求項１記載の携帯用工具用カバー。
【請求項３】
該外枠部はアルミニウム合金部と樹脂部とからなり、
該アルミニウム合金部と樹脂部とは、それぞれ該外枠部の外方に突出するネジ座を有し、該ネジ座においてネジ締めされることによって互いに接続され、
該カバーは、該ネジ座を覆うようにして該外枠部に装着される装着部を備えることを特徴とする請求項１記載の携帯用工具用カバー。
【請求項４】
該外枠部は外形が先細り形状をなす先細り形状部を備え、該先細り形状部の外側面上に該携帯用工具用シートが載置又は接着され、
該カバーは、該先細り形状部の形状に倣った中空円筒形状をなし、内周面が該携帯用工具用シート及び該先細り形状部に当接して該外枠部に装着されることを特徴とする請求項１記載の携帯用工具用カバー。
【請求項５】
該先細り形状部の先端側の端面部には、該携帯用工具用カバーの移動を阻止するためのフロントキャップが移動不能に設けられ、該フロントキャップは、該外枠部に対して着脱可能であることを特徴とする請求項４記載の携帯用工具用カバー。
【請求項６】
バッテリ若しくは商用電源から供給される電力又は圧縮空気によって駆動される動力部と、該動力部によって駆動される機構部と、少なくとも該動力部、及び該機構部を覆う外枠部とを備える携帯用工具と、
該外枠部の外部に装着される携帯用工具用カバーとからなる携帯用工具と携帯用工具用カバーとの組合せであって、
該外枠部の外側面上には情報を表示するための携帯用工具用シートを載置可能又は接着可能であり、
該携帯用工具用カバーは、光透過性を有すると共に、該外枠部上に載置又は接着された該携帯用工具用シートの全体及び該外枠部の少なくとも一部を覆うようにして該外枠部に着脱可能に装着されることを特徴とする携帯用工具と携帯用工具用カバーとの組合せ。
【請求項７】
該携帯用工具用カバーは透明又は半透明の樹脂からなることを特徴とする請求項６記載の携帯用工具と携帯用工具用カバーとの組合せ。
【請求項８】
該外枠部はアルミニウム合金部と樹脂部とからなり、
該アルミニウム合金部と樹脂部とは、それぞれ該外枠部の外方に突出するネジ座を有し、該ネジ座においてネジ締めされることによって互いに接続され、
該携帯用工具用カバーは、該ネジ座を覆うようにして該外枠部に装着される装着部を備えることを特徴とする請求項６記載の携帯用工具と携帯用工具用カバーとの組合せ。
【請求項９】
該外枠部は外形が先細り形状をなす先細り形状部を備え、
該携帯用工具用カバーは、該先細り形状部の形状に倣った中空円筒形状をなし、
該先細り形状部の外側面上に該携帯用工具用シートが載置又は接着され、該携帯用工具用カバーの内周面は該携帯用工具用シート及び該先細り形状部に当接して該外枠部に装着されることを特徴とする請求項６記載の携帯用工具と携帯用工具用カバーとの組合せ。
【請求項１０】
該先細り形状部の先端側の端面部には、該携帯用工具用カバーの移動を阻止するためのフロントキャップが移動不能に設けられ、該フロントキャップは、該外枠部に対して着脱可能であることを特徴とする請求項９記載の携帯用工具と携帯用工具用カバーとの組合せ。
【請求項１１】
バッテリ若しくは商用電源から供給される電力又は圧縮空気によって駆動される動力部と、該動力部によって駆動される機構部と、少なくとも該動力部、及び該機構部を覆う外枠部とを備える携帯用工具と、
該外枠部の外部に装着される携帯用工具用カバーと、
情報を表示するために該携帯用工具に装着される携帯用工具用シートとからなる携帯用工具と携帯用工具用カバーと携帯用工具用シートとの組合せであって、
該携帯用工具用シートは該外枠部の外側面上に載置又は接着され、
該携帯用工具用カバーは光透過性を有すると共に、該外枠部の少なくとも一部及び該携帯用工具用シートの全体を覆うようにして該外枠部に着脱可能に装着されることを特徴とする携帯用工具と携帯用工具用カバーと携帯用工具用シートとの組合せ。
【請求項１２】
該携帯用工具用カバーは透明又は半透明の樹脂からなることを特徴とする請求項１１記載の携帯用工具と携帯用工具用カバーと携帯用工具用シートとの組合せ。
【請求項１３】
該携帯用工具用シートは紙又は樹脂からなることを特徴とする請求項１１記載の携帯用工具と携帯用工具用カバーと携帯用工具用シートとの組合せ。
【請求項１４】
該外枠部に接触する該携帯用工具用シートの面は粘着性を有していることを特徴とする請求項１１記載の携帯用工具と携帯用工具用カバーと携帯用工具用シートとの組合せ。
【請求項１５】
該携帯用工具用シートは一枚の大シート上に複数個印刷されていることを特徴とする請求項１１記載の携帯用工具と携帯用工具用カバーと携帯用工具用シートとの組合せ。
【請求項１６】
該情報は、該携帯用工具のユーザの名前又は該ユーザが選択した色若しくは模様又は広告であることを特徴とする請求項１１記載の携帯用工具と携帯用工具用カバーと携帯用工具用シートとの組合せ。
【請求項１７】
該外枠部はアルミニウム合金部と樹脂部とからなり、
該アルミニウム合金部と樹脂部とは、それぞれ該外枠部の外方に突出するネジ座を有し、該ネジ座においてネジ締めされることによって互いに接続され、
該携帯用工具用カバーは、該ネジ座を覆うようにして該外枠部に装着される装着部を備えることを特徴とする請求項１１記載の携帯用工具と携帯用工具用カバーと携帯用工具用シートとの組合せ。
【請求項１８】
該外枠部は外形が先細り形状をなす先細り形状部を備え、
該携帯用工具用カバーは、該先細り形状部の形状に倣った中空円筒形状をなし、
該先細り形状部の外側面上に該携帯用工具用シートが載置又は接着され、該携帯用工具用カバーの内周面は該携帯用工具用シート及び該先細り形状部に当接して該外枠部に装着されることを特徴とする請求項１１記載の携帯用工具と携帯用工具用カバーと携帯用工具用シートとの組合せ。
【請求項１９】
該先細り形状部の先端側の端面部には、該携帯用工具用カバーの移動を阻止するためのフロントキャップが移動不能に設けられ、該フロントキャップは、該外枠部に対して着脱可能であることを特徴とする請求項１８記載の携帯用工具と携帯用工具用カバーと携帯用工具用シートとの組合せ。
【請求項２０】
該携帯用工具用シートは、該携帯用工具の販売店又は該携帯用工具のユーザへ配布されたデータに基づいて該販売店又は該ユーザが印刷してなることを特徴とする請求項１１記載の携帯用工具と携帯用工具用カバーと携帯用工具用シートとの組合せ。
【請求項２１】
該データの配布は、インターネット又は記憶媒体を介して行われることを特徴とする請求項２０記載の携帯用工具と携帯用工具用カバーと携帯用工具用シートとの組合せ。
【発明の詳細な説明】
【０００１】
【発明の属する技術分野】
本発明は、携帯用工具用カバー、携帯用工具と携帯用工具用カバーとの組合せ、及び携帯用工具と携帯用工具用カバーと携帯用工具用シートとの組合せに関し、特に、電動ドリルや電動丸のこ、空気釘打ち機などの、電力により駆動する電動工具や空気により駆動する空気工具を含む携帯用工具の外枠部に装着する携帯用工具用カバー、携帯用工具用シートに関する。
【０００２】
【従来の技術】
携帯用工具としては、電動ドリルや、電動丸のこや、空気釘打ち機や、特開２０００−３３７３２８号公報に記載されているような、建築現場でねじ締め作業に使用されるコードレスインパクトドライバや、特開平８−２２９８５０号公報に記載されているような電気ハンマ等が従来より知られている。
【０００３】
例えば、コードレスインパクトドライバは、図１３に示されるように、全体として略Ｔ字型をしており、内部に図示せぬ動力部と、機構部と、先端工具部とを備え、これらは外枠部１１４によって覆われている。また、ニカド電池やニッケル水素電池を備えるバッテリパック１２０が設けられており、バッテリバック１２０は、図示せぬバッテリが外枠部１２２に覆われて構成されている。図示せぬ動力部は図示せぬモータを備えており、図示せぬ機構部は図示せぬギヤ等により構成されている。図示せぬ先端工具部は図示せぬ駆動軸と図示せぬハンマとを備える。動力部からの駆動力は機構部で減速され、駆動軸を回転させハンマが回転と打撃を繰り返し、ハンマ先端に設けられた図示せぬビットでねじを締め付けるように構成されている。
【０００４】
外枠部１１４は、ナイロン樹脂からなる樹脂部１１４Ａと強度に優れたアルミニウム合金ダイキャスト製のハンマケース１１４Ｂとを有しており、電源、動力部及び機構部は樹脂部１１４Ａによって覆われている。また、インパクトドライバ１０１の先端寄りに位置する図示せぬ先端工具部は、ハンマケース１１４Ｂによって覆われている。外枠部１１４を構成する樹脂部１１４Ａとハンマケース１１４Ｂとは、それぞれ該外枠部１１４の外方に突出するネジ座１１４Ｃ、１１４Ｄを有しており、このネジ座１１４Ｃ、１１４Ｄにおいてネジ締めされることによって互いに接続されている。
【０００５】
ところで、建築現場等においては、一つの現場で多くの人が同じ種類のインパクトドライバを使うことが多い。インパクトドライバ等の携帯用工具の大きさやデザインや構造は、製造メーカーが異なっても互いに似かよっているため、建築現場では、自分の工具と他人の工具との区別がつきにくい場合が多い。製造メーカが同一の場合にはなおさらである。そこで、建築現場等で作業をするユーザは、自分の工具と他人の工具とを間違えたりしないように、また、自分の工具が盗まれないように、外枠部１１４にペンキ等を用いて色を塗り、自分の工具であることを識別できるようにしたり、外枠部１１４にマジックで名前を書いたりしていた。
【０００６】
【特許文献１】
特開２０００−３３７３２８号公報（第２頁、図１、図２、図５、図６）
【特許文献２】
特開平８−２２９８５０号公報（第２頁、図１、図２）
【０００７】
【発明が解決しようとする課題】
しかし、従来の携帯用工具を用いて、例えば白い壁際でねじ締めを行う場合には、ユーザによってペンキ等が塗られた外枠部１１４が、相手材である白い壁に擦りつけられることがあり、ペンキ等で壁を汚してしまうという問題が生じていた。特に、上述のコードレスインパクトドライバ１０１の場合には、ネジ座１１４Ｃ、１１４Ｄが外枠部１１４の外方に突出しているため、ペンキ等が塗られた外枠部１１４の当該部分が、図１４に示されるように壁に擦りつけられやすく、壁を汚しやすかった。また、外枠部１１４の外方に突出しているネジ座１１４Ｃ、１１４Ｄが壁に接触することにより、相手材を傷付けてしまう恐れがあった。
【０００８】
また、建築現場等では携帯用工具は過酷に扱われるためキズや汚れが多くつき、外枠部に塗ったペンキや名前がはがれてしまったりかすれてしまったりする。このため、自分の携帯用工具を他人の携帯用工具から識別することが困難になるという問題が生じ、また、携帯用工具の外観の美観を損ねてしまうという問題が生じていた。
【０００９】
また、１つの携帯用工具を何年か使用しそのデザインに飽きてしまった場合に、ペンキ等を塗りなおすのには手間がかかるため、容易に模様替えをすることができなかった。
【００１０】
また、携帯用工具メーカーの側から外枠部の色の違う製品を多種類生産する方法も考えられるが、コストアップや流通管理が難しく、実際に供給できる種類の数は、２〜３種程度と限られていた。
【００１１】
また、別売部品として外枠部の外側面に装着するカバーを用意し、カバーに模様を塗装や印刷する方法が考えられるが、従来の携帯用工具と同様に印刷したものが壁等に付着して壁等を汚してしまうことになることが予想される。また、色や模様の異なるカバーをメーカー側で複数種類生産し、ユーザの好みの色や模様のカバーをユーザが購入するようにした場合には、各色、模様ごとにそれぞれ需要が多くないと生産する数が少なくなり、コストが高くつくことになる。
【００１２】
そこで、本発明は、ユーザが自己の携帯用工具であることを識別できるように、ユーザの好みに合わせて携帯用工具の外枠部を様々にカラーリングでき、作業時に相手材を汚さず、携帯用工具に激しくキズがついたり汚れたりてしても、カラーリングされたデザインを損ねず、且つ、メーカーが低コストで提供できる携帯用工具用カバー、携帯用工具と携帯用工具用カバーとの組合せ、及び携帯用工具と携帯用工具用カバーと携帯用工具用シートとの組合せを提供することを目的とする。
【００１３】
【課題を解決するための手段】
上記目的を達成するために、本発明は、バッテリ若しくは商用電源から供給される電力又は圧縮空気によって駆動される動力部と、該動力部によって駆動される機構部と、少なくとも該動力部、及び該機構部を覆う外枠部とを備える携帯用工具の該外枠部の外部に装着される携帯用工具用カバーであって、該外枠部の外側面上には情報を表示するための携帯用工具用シートを載置可能又は接着可能であり、該カバーは、光透過性を有すると共に、該外枠部上に載置又は接着された該携帯用工具用シートの全体及び該外枠部の少なくとも一部を覆うようにして該外枠部に着脱可能に装着される携帯用工具用カバーを提供している。
【００１４】
ここで、該カバーは、透明又は半透明の樹脂からなることが好ましい。
【００１５】
また、該外枠部はアルミニウム合金部と樹脂部とからなり、該アルミニウム合金部と樹脂部とは、それぞれ該外枠部の外方に突出するネジ座を有し、該ネジ座においてネジ締めされることによって互いに接続され、該カバーは、該ネジ座を覆うようにして該外枠部に装着される装着部を備えることが好ましい。
【００１６】
また、該外枠部は外形が先細り形状をなす先細り形状部を備え、該先細り形状部の外側面上に該携帯用工具用シートが載置又は接着され、該カバーは、該先細り形状部の形状に倣った中空円筒形状をなし、内周面が該携帯用工具用シート及び該先細り形状部に当接して該外枠部に装着されることが好ましい。
【００１７】
また、該先細り形状部の先端側の端面部には、該携帯用工具用カバーの移動を阻止するためのフロントキャップが移動不能に設けられ、該フロントキャップは、該外枠部に対して着脱可能であることが好ましい。
【００１８】
また、本発明は、バッテリ若しくは商用電源から供給される電力又は圧縮空気によって駆動される動力部と、該動力部によって駆動される機構部と、少なくとも該動力部、及び該機構部を覆う外枠部とを備える携帯用工具と、該外枠部の外部に装着される携帯用工具用カバーとからなる携帯用工具と携帯用工具用カバーとの組合せであって、該外枠部の外側面上には情報を表示するための携帯用工具用シートを載置可能又は接着可能であり、該携帯用工具用カバーは、光透過性を有すると共に、該外枠部上に載置又は接着された該携帯用工具用シートの全体及び該外枠部の少なくとも一部を覆うようにして該外枠部に着脱可能に装着される携帯用工具と携帯用工具用カバーとの組合せを提供している。
【００１９】
ここで、該携帯用工具用カバーは透明又は半透明の樹脂からなることが好ましい。
【００２０】
また、該外枠部はアルミニウム合金部と樹脂部とからなり、該アルミニウム合金部と樹脂部とは、それぞれ該外枠部の外方に突出するネジ座を有し、該ネジ座においてネジ締めされることによって互いに接続され、該携帯用工具用カバーは、該ネジ座を覆うようにして該外枠部に装着される装着部を備えることが好ましい。
【００２１】
また、該外枠部は外形が先細り形状をなす先細り形状部を備え、該携帯用工具用カバーは、該先細り形状部の形状に倣った中空円筒形状をなし、該先細り形状部の外側面上に該携帯用工具用シートが載置又は接着され、該携帯用工具用カバーの内周面は該携帯用工具用シート及び該先細り形状部に当接して該外枠部に装着されることが好ましい。
【００２２】
また、該先細り形状部の先端側の端面部には、該携帯用工具用カバーの移動を阻止するためのフロントキャップが移動不能に設けられ、該フロントキャップは、該外枠部に対して着脱可能であることが好ましい。
【００２３】
また、本発明は、バッテリ若しくは商用電源から供給される電力又は圧縮空気によって駆動される動力部と、該動力部によって駆動される機構部と、少なくとも該動力部、及び該機構部を覆う外枠部とを備える携帯用工具と、該外枠部の外部に装着される携帯用工具用カバーと、情報を表示するために該携帯用工具に装着される携帯用工具用シートとからなる携帯用工具と携帯用工具用カバーと携帯用工具用シートとの組合せであって、該携帯用工具用シートは該外枠部の外側面上に載置又は接着され、該携帯用工具用カバーは光透過性を有すると共に、該外枠部の少なくとも一部及び該携帯用工具用シートの全体を覆うようにして該外枠部に着脱可能に装着される携帯用工具と携帯用工具用カバーと携帯用工具用シートとの組合せを提供している。
【００２４】
ここで、該携帯用工具用カバーは透明又は半透明の樹脂からなることが好ましい。
【００２５】
また、該携帯用工具用シートは紙又は樹脂からなることが好ましい。
【００２６】
また、該外枠部に接触する該携帯用工具用シートの面は粘着性を有していることが好ましい。
【００２７】
また、該携帯用工具用シートは一枚の大シート上に複数個印刷されていることが好ましい。
【００２８】
また、該情報は、該携帯用工具のユーザの名前又は該ユーザが選択した色若しくは模様又は広告であることが好ましい。
【００２９】
また、該外枠部はアルミニウム合金部と樹脂部とからなり、該アルミニウム合金部と樹脂部とは、それぞれ該外枠部の外方に突出するネジ座を有し、該ネジ座においてネジ締めされることによって互いに接続され、該携帯用工具用カバーは、該ネジ座を覆うようにして該外枠部に装着される装着部を備えることが好ましい。
【００３０】
該外枠部は外形が先細り形状をなす先細り形状部を備え、該携帯用工具用カバーは、該先細り形状部の形状に倣った中空円筒形状をなし、該先細り形状部の外側面上に該携帯用工具用シートが載置又は接着され、該携帯用工具用カバーの内周面は該携帯用工具用シート及び該先細り形状部に当接して該外枠部に装着されることが好ましい。
【００３１】
また、該先細り形状部の先端側の端面部には、該携帯用工具用カバーの移動を阻止するためのフロントキャップが移動不能に設けられ、該フロントキャップは、該外枠部に対して着脱可能であることが好ましい。
【００３２】
また、該携帯用工具用シートは、該携帯用工具の販売店又は該携帯用工具のユーザへ配布されたデータに基づいて該販売店又は該ユーザが印刷してなることが好ましい。
【００３３】
また、該データの配布は、インターネット又は記憶媒体を介して行われることが好ましい。
【００３４】
【発明の実施の形態】
本発明の実施の形態による携帯用工具、携帯用工具用カバー、携帯用工具用シートについて図１乃至図４に基づき説明する。携帯用工具１は、バッテリ２１（図２）から供給される電力によって動作するコードレスインパクトドライバであり、図１又は図２に示されるように、動力部１１と機構部１２と先端工具部１３とを備える本体部１０と、ニカド電池又はニッケル水素電池からなるバッテリ２１を備えるバッテリパック２０とにより構成されている。動力部１１と機構部１２と先端工具部１３とは、外枠部１４によって覆われて本体部１０をなし、また、バッテリ２１は外枠部２２によって覆われてバッテリパック２０をなす。バッテリパック２０は、本体部１０に対して着脱可能に構成されている。
【００３５】
動力部１１はモータ１１Ａを備えており（図２）、モータ１１Ａはバッテリから供給される電力によって駆動される。本体部１０の外枠部１４にはスイッチ１５が設けられており、スイッチ１５をユーザが操作することによってモータ１１Ａの駆動開始・停止が行われる。機構部１２は減速歯車１２Ａを備えており、減速歯車１２Ａはモータ１１Ａの出力軸１１Ｂに接続されている。モータ１１Ａの回転力によって減速歯車１２Ａが駆動され、減速されて先端工具部１３へ伝達されるように構成されている。先端工具部１３は、ハンマ１３Ａとスピンドル１３Ｂとアンビル１３Ｃとを備えており、スピンドル１３Ｂは減速歯車１２Ａとハンマ１３Ａとにそれぞれ接続され、ハンマ１３Ａはハンマ１３Ａに設けられた図示せぬ爪部においてアンビル１３Ｃに接続されている。また、アンビル１３Ｃの先端には図示せぬビットが着脱可能に取付けられる。減速歯車１２Ａからの回転力は、スピンドル１３Ｂ、ハンマ１３Ａ、アンビル１３Ｃの順に伝達され、図示せぬビットによってネジ締めを行うことができるように構成されている。
【００３６】
バッテリパック２０の外枠部２２はナイロン樹脂によって構成されている。本体部１０の外枠部１４は、ナイロン樹脂からなる樹脂部１４Ａと強度に優れたアルミニウム合金ダイキャスト製のハンマケース１４Ｂとを有する。動力部１１及び機構部１２は樹脂部１４Ａによって覆われており、携帯用工具１の先端寄りに位置する先端工具部１３は、ハンマケース１４Ｂによって覆われている。外枠部を構成するハンマケース１４Ｂと樹脂部１４Ａとは、それぞれ外枠部の外方に突出するネジ座１４Ｃ、１４Ｄ（図３）を有しており、このネジ座１４Ｃ、１４Ｄにおいて４本の＋（プラス）型のなべねじ１６によってネジ締めされることによって互いに接続されている。なお、図３においては、なべねじ１６は２本のみ見えている。ハンマケース１４Ｂはアルミニウム合金部に相当する。
【００３７】
ハンマケース１４Ｂは、外形が先細り形状をなしており、その外側面上には携帯用工具用シート３１が接着されている。ハンマケース１４Ｂは先細り形状部に相当する。携帯用工具用シート３１は紙でてきており、図４に示されるように、それぞれ凹部３１ａが４つ形成され所定の幅を有する略円弧状をなしている。携帯用工具用シート３１は、携帯用工具１と一緒にセットで販売された一枚の大シート３０上に複数個印刷されており、周囲にはミシン目が形成され、大シート３０から切り抜かれて携帯用工具用シート３１となる。大シート３０上の携帯用工具用シート３１が印刷されていない部分には、携帯用工具用シート３１の使い方等に関する説明等が記載されている。携帯用工具用シート３１の表面には、図４に示されるように、動物等の図柄や模様等がそれぞれ印刷されており、ユーザの好みの図柄等を選択できるようになっている。
【００３８】
携帯用工具用シート３１の厚さは０．０５ｍｍ程度であり、図柄等の印刷されている表面に対する裏面は粘着性を有し、携帯用工具用シート３１はシールをなす。携帯用工具用シート３１は、平面に展開した形状で大シート３０に印刷されているが、切り抜かれ、その長手方向の一端と他端とが互いに近づけられるようにして裏面を内側として湾曲され、図３に示されるような略環状とされる。そして、裏面全体がハンマケース１４Ｂに接着される。携帯用工具用シート３１には前述のように凹部３１ａが形成されているため、この凹部３１ａがネジ座１４Ｃ、１４Ｄ等を逃げており、ハンマケース１４Ｂに巻きつけて接着したときにハンマケース１４Ｂにフィットする。
【００３９】
携帯用工具１のハンマケース１４Ｂに、ユーザの好みの図柄や模様の印刷された携帯用工具用シート３１を装着して、当該携帯用工具用シート３１によって自己の携帯用工具１であることを識別できるようにしたため、携帯用工具１のメーカーの側で製造段階において外枠部１４の色分けや作り分けをせずにユーザの好みや個性化に対応した携帯用工具のカラーリングが可能になり、コスト面や流通の面で非常に有利である。また、携帯用工具用シート３１のデザインは、ユーザの好みで選ぶのであるが、飽きたら携帯用工具用シート３１を交換することで、容易に違うデザインに変えることができる。
【００４０】
また、ハンマケース１４Ｂの形状に倣った外形の携帯用工具用シート３１が大シート３０に印刷され、外形に沿ってミシン目が形成されているため、後から余計な部分を切り取ったりする手間がなく、ハンマケース１４Ｂへの張り付けをきれいに仕上げることができる。また、裏面が粘着性を有しているため、後述する携帯用工具用カバー４０をハンマケース１４Ｂに装着する際に、携帯用工具用シート３１がずれたりすることなく、きれいに仕上げることができる。
【００４１】
ハンマケース１４Ｂの外側面上であって携帯用工具用シート３１が装着されている位置には、携帯用工具用カバー４０（図２）が装着されている。携帯用工具用カバー４０は、ハンマケース１４Ｂの形状に倣った中空円筒形状をなしており、ハンマケース１４Ｂの先端側の端面部１４Ｅの位置から、ハンマケース１４Ｂが樹脂部１４Ａに接続されている基端部１４Ｆの位置にかけて、ハンマケース１４Ｂの全体を覆うようにして装着されている。従って、ハンマケース１４Ｂの部分におけるネジ座１４Ｃ（図３）と当該ネジ座１４Ｃにおいてネジ締めを行うなべねじ１６の頭とを完全に覆っており、また、ハンマケース１４Ｂの外側面上に装着されている携帯用工具用シート３１の全体を覆っている。
【００４２】
ネジ座１４Ｃを含めてハンマケース１４Ｂの全体を覆っている携帯用工具用カバー４０の部分は装着部４０Ａをなす。図柄等が印刷されている携帯用工具用シート３１の表面と携帯用工具用カバー４０の内周面との間にはほとんど隙間が無く、互いに略接触した状態となっている。また、携帯用工具用カバー４０の内周面はハンマケース１４Ｂの一部にも当接している。携帯用工具用カバー４０の厚さは１ｍｍ程度である。携帯用工具用ケースは透明であり、ＰＰ（ポリプロピレン）又は硬質の樹脂からなり、ある程度の剛性を有する。従って、やわらかいゴムのようにめくれることはなく、一定の形状を保つことができる。
【００４３】
ハンマケース１４Ｂの先端側の端面部１４Ｅには、ゴム製のフロントキャップ５０が設けられている。フロントキャップ５０は略環状をなしており、ハンマケース１４Ｂに対して着脱可能である。フロントキャップ５０の内周面には、フロントキャップ５０の内方へ突出する凸部５０Ａ（図３）が設けられている。凸部５０Ａは、フロントキャップ５０の周方向に沿って等間隔で４つ設けられている。
【００４４】
一方、ハンマケース１４Ｂの端面部１４Ｅには、ハンマケース１４Ｂの内方へ窪んだ凹部１４ａが形成されている。凹部１４ａは、凸部５０Ａに合致した形状をなし、ハンマケース１４Ｂの周方向に等間隔で４つ形成されており、凸部５０Ａと係合可能である。フロントキャップ５０が装着されているときには、凸部５０Ａと凹部１４ａとが互いに係合しており、フロントキャップ５０はハンマケース１４Ｂ及び携帯用工具用カバー４０に対して移動不能となるように構成されている。凸部５０Ａと凹部１４ａとは互いに係合する係合部をなす。フロントキャップ５０は、携帯用工具用カバー４０が装着された後に、端面部１４Ｅにおいて、携帯用工具用カバー４０に当接した状態でハンマケース１４Ｂに同軸的に装着される。
【００４５】
フロントキャップ５０はゴム製であるが、その弾性力で凸部５０Ａが凹部１４ａに強固に係合されているので、携帯用工具１の使用中に外れることがない。フロントキャップ５０がハンマケース１４Ｂに装着され、フロントキャップ５０とハンマケース１４Ｂとによって携帯用工具用カバー４０が挟まれ、フロントキャップ５０がハンマケース１４Ｂに対して移動不能となる。このため、携帯用工具用カバー４０をハンマケース１４Ｂに対して移動不能とすることができる。従って、携帯用工具用カバー４０を、剛性のある固めの材料で作ることができる。
【００４６】
フロントキャップ５０がない場合には、携帯用工具用カバー４０の内周面等に弾性のある凸部を設けてやる必要があるため、携帯用工具用カバー４０をゴム等のやわらかい材料で作らなければならない。このような場合には、携帯用工具１の使用中に、やわらかい携帯用工具用カバー４０がめくれてしまい、汚れてしまう可能性があるが、フロントキャップ５０が設けられ硬質の材料によって携帯用工具用カバー４０が構成される場合には、その心配も無い。なお、携帯用工具用カバー４０は、ネジ座１４Ｃ及びなべねじ１６の頭を覆う形状をしていることによって、携帯用工具用カバー４０がハンマケース１４Ｂ上で回動してしまうことが防止される。
【００４７】
携帯用工具用シート３１を携帯用工具１に装着する際、又は既に装着されている携帯用工具用シート３１を別のものに交換する際には、先ず、マイナスドライバなどを用いてフロントキャップ５０の凸部５０Ａの凹部１４ａへの係合を解除してフロントキャップ５０を取り外す。次に、携帯用工具用カバー４０をハンマケース１４Ｂから取り外し、ハンマケース１４Ｂを露出させる。既に携帯用工具用シート３１がハンマケース１４Ｂに接着されている場合には、ハンマケース１４Ｂを露出させることによって携帯用工具用シート３１が露出される。そして携帯用工具用シート３１をハンマケース１４Ｂから剥がして取り除く。
【００４８】
次に、図４に示される携帯用工具用シート３１の中から、ユーザの好みのものを選択し、又は、無地の携帯用工具用シート３１に名前や住所などを書き、当該携帯用工具用シート３１をハンマケース１４Ｂに接着させる。
【００４９】
次に、携帯用工具用カバー４０をハンマケース１４Ｂに装着し、フロントキャップ５０の凸部５０Ａをハンマケース１４Ｂの凹部１４ａに係合させてフロントキャップ５０をハンマケース１４Ｂに移動不能に装着し、携帯用工具用シート３１のハンマケース１４Ｂへの装着が完了する。
【００５０】
ハンマケース１４Ｂに携帯用工具用シート３１を装着し、その上から透明な携帯用工具用カバー４０で覆うようにしたため、ユーザは携帯用工具用カバー４０を通して携帯用工具用シート３１を見て自己の携帯用工具１であるか否かを識別することができる。また、白い壁際等で携帯用工具１を用いた場合に、ハンマケース１４Ｂの外方へ突出するネジ座１４Ｃの位置等が白い壁にこすれた場合であっても、ネジ座１４Ｃを含めたハンマケース１４Ｂの全体が透明な携帯用工具用カバー４０によって覆われているため、携帯用工具用シート３１が直接壁等に接触することはなく、携帯用工具用シート３１に印刷されている色が壁等に付着することを防止することができる。また、携帯用工具用カバー４０をドロ等で汚した場合であっても、携帯用工具用カバー４０から簡単に汚れを落とすことができ、携帯用工具１の美観を保つことができる。
【００５１】
本発明による携帯用工具用カバー、携帯用工具と携帯用工具用カバーとの組合せ、及び携帯用工具と携帯用工具用カバーと携帯用工具用シートとの組合せは上述した実施の形態に限定されず、特許請求の範囲に記載した範囲で種々の変形や改良が可能である。例えば、本実施の形態における携帯用工具用シート３１では、携帯用工具用シート３１の表面には図柄や模様が印刷されていたが、これらに限定されない。例えば、図５に示されるように、携帯用工具用シート３２上に、携帯用工具１のユーザの所属する工務店の名前を印刷してもよく、図６に示されるように、携帯用工具用シート３３上に、携帯用工具１を所有するユーザの名前及び電話番号を印刷してもよい。
【００５２】
また、図７に示されるように、工具を販売する際のサービスとして、携帯用工具用シート３４上に、パソコンでユーザの名前及び電話番号等のユーザの好みの情報を印刷し、これに加えて自分の販売店名も記載するようにしてもよい。また、ユーザが選択した色や広告等を印刷して、ユーザのオリジナルのものを作成して楽しめるようにしてもよい。
【００５３】
また、本実施の形態では、携帯用工具１はコードレスインパクトドライバであったが、他の携帯用工具であってもよい。例えば、ディスクグラインダや空気式釘打ち機であってもよい。ディスクグラインダの場合の一例としては、図８に示されるように、ハンドル部２１０の端部側に模様のついた携帯用工具用シート２３１を貼り、その上から透明な携帯用工具用カバー２４０で覆う等すればよい。このようにすれば、ディスクグラインダ２のハンドル部２１０がアルミニウム合金製であったとしても、それを覆う携帯用工具用カバー２４０を樹脂とすることができ、握りがソフトになり、滑りにくくすることができる。また、ディスクグラインダ２を木材等の上に置いた際等に木材等の上面を傷付けてしまうことを抑制することができる。
【００５４】
また、空気式釘打ち機の場合の一例としては、図９に示されるように、外枠部３１４に模様と名前を印刷した携帯用工具用シート３３１を貼り、その上から透明な携帯用工具用カバー３４０で覆う等すればよい。この場合には、空気式釘打ち機３の排気口部材３５０が、本実施の形態によるフロントキャップ５０と同様に、携帯用工具用カバー３４０を外枠部３１４に対して移動不能とする。
【００５５】
また、携帯用工具用シート３１の印刷された大シート３０や携帯用工具用カバー４０は、携帯用工具１と一緒にセットで販売されたが、この方法に限られない。例えば、携帯用工具用シートや携帯用工具用カバーが、携帯用工具とは別売でセットとして販売されるもの、あるいはそれぞれ別に販売又は提供されるものとされてもよい。即ち、図１０に示されるように、先ず、携帯用工具用シートの原画データが携帯用工具のメーカーによって作成され（Ｓ１）、メーカーにおいて携帯用工具用シートが製作される（Ｓ２）。次に、販売店において携帯用工具用シートが販売され（Ｓ３）、携帯用工具用シートを購入したユーザが携帯用工具用シートをハンマケースに装着する（Ｓ４）。一方、メーカーにおいて携帯用工具用カバーが製造され（Ｓ５）、販売店において携帯用工具用カバーが販売される（Ｓ６）。そして、携帯用工具用シートを購入したユーザと同一のユーザが携帯用工具用カバーを購入し、携帯用工具用シートの装着されているハンマケースに携帯用工具用カバーを装着する（Ｓ４）。
【００５６】
また、販売店やユーザへ配布されたデータに基づいて、販売店やユーザが印刷をすることによって、携帯用工具用シートを作成してもよい。データは、インターネットを介して配布されてもよいし、ＣＤ−ＲＯＭやフロッピーディスク（登録商標）等の記録媒体を介して配布されてもよい。
【００５７】
例えば、インターネットを介して配布される場合には、図１１に示されるように、先ず、携帯用工具用シートの原画データが携帯用工具のメーカーによって作成され（Ｓ１１）、そのデータをメーカ所有のサーバーに収録し、インターネットを介して原画データを公開可能とする（Ｓ１２）。
【００５８】
次に、販売店又はユーザにおいてインターネットを介して原画データをダウンロードし、裏面に粘着性を有するシール材や紙等に携帯用工具用シートの図柄等を印字して、携帯用工具用シートを作成する（Ｓ１３）。この際、データを販売店又はユーザにおいて加工し、ユーザの名前等を図柄等に加えて印字するようにしてもよい。そして、作成した携帯用工具用シートをハンマケースに装着する（Ｓ１４）。
【００５９】
一方、メーカーにおいて携帯用工具用カバーが製造され（Ｓ１５）、販売店において携帯用工具用カバーが販売される（Ｓ１６）。そして、携帯用工具用シートを作成したユーザと同一のユーザが携帯用工具用カバーを購入し、携帯用工具用シートの装着されているハンマケースに携帯用工具用カバーを装着する（Ｓ１４）。
【００６０】
また、ＣＤ−ＲＯＭやフロッピーディスク（登録商標）等の記録媒体を介して配布される場合には、図１２に示されるように、先ず、携帯用工具用シートの原画データが携帯用工具のメーカーによって作成され（Ｓ２１）、ＣＤ−ＲＯＭやフロッピーディスク（登録商標）等の記録媒体を介してメーカ側から原画データが販売等されて配布される（Ｓ２２）。次に、販売店又はユーザにおいて配布されたＣＤ−ＲＯＭ等を用いて、裏面に粘着性を有するシール材や紙に携帯用工具用シートの図柄等を印字して、携帯用工具用シートを作成する（Ｓ２３）。この際、データを販売店又はユーザにおいて加工し、ユーザの名前等を図柄等に加えて印字するようにしてもよい。そして、作成した携帯用工具用シートをハンマケースに装着する（Ｓ２４）。
【００６１】
一方、メーカーにおいて携帯用工具用カバーが製造され（Ｓ２５）、販売店において携帯用工具用カバーが販売される（Ｓ２６）。そして、携帯用工具用シートを作成したユーザと同一のユーザが携帯用工具用カバーを購入し、携帯用工具用シートの装着されているハンマケースに携帯用工具用カバーを装着する（Ｓ２４）。
【００６２】
インターネットを介してメーカーがデータを供給する場合には、メーカーは全世界に多数のデータを容易に提供することができ、ユーザや販売店は、いつでもどこでも即座にデータを入手して印刷して、携帯用工具用シートを作成することができる。
【００６３】
また、携帯用工具用シート３１は紙からなるシールにより構成されていたが、樹脂により構成されてもよい。また、携帯用工具用シートを伸縮性のある材料で作ってもよい。伸縮性のある材料で作れば、複雑な曲面を有するハンマケース１４Ｂによりフイットする。そして、その裏面が粘着性を有していれば、フィットした状態が保持され、その上に携帯用工具用カバー４０を装着したときに、携帯用工具用シートにシワやズレが生じずに、さらに美しく仕上げることができる。
【００６４】
また、携帯用工具用シートの裏面は粘着性を有していなくてもよい。また、携帯用工具用シートは、適当な紙に色やデザインしたものによって構成されてもよい。この場合には、携帯用工具用シートはハンマケース１４Ｂ上に載置される。
【００６５】
また、動力部１１はバッテリからの電力によって駆動されたが、商用電源から供給される電力によって駆動されてもよく、また、圧縮空気によって駆動されてもよい。
【００６６】
また、携帯用工具用ケースは透明であったが、光透過性を有して携帯用工具用シート上の模様等が携帯用工具用カバーを通して見えるようであればよく、例えば、半透明であってもよい。
【００６７】
また、本実施の形態ではハンマケース１４Ｂに携帯用工具用カバー４０を装着したが、バッテリパック２０の外枠部２２に装着するようにし、外枠部２２と携帯用工具用カバーとの間に携帯用工具用シートを装着するようにしてもよい。このようにすることで、本体部１０から着脱可能なバッテリパック２０が、自己のものであるか否かの識別が容易となる。また、携帯用工具用カバー４０を樹脂により形成することにより、バッテリパック２０の保護の効果を得ることができる。
【００６８】
【発明の効果】
請求項１、２、６、７、１１、１２、１３、１６記載の携帯用工具用カバー、携帯用工具と携帯用工具用カバーとの組合せ、及び携帯用工具と携帯用工具用カバーと携帯用工具用シートとの組合せによれば、携帯用工具用シートは外枠部の外側面上に載置又は接着され、携帯用工具用カバーは光透過性を有すると共に、外枠部の少なくとも一部及び携帯用工具用シートの全体を覆うようにして外枠部に着脱可能に装着されるようにしたため、ユーザは携帯用工具用カバーを通して携帯用工具用シートを見て自己の携帯用工具であるか否かを識別することができる。
【００６９】
また、白い壁際等で携帯用工具を用いた場合に、外枠部の部分が白い壁にこすれた場合であっても、外枠部が透明な携帯用工具用カバーによって覆われているため、携帯用工具用シートが直接壁等に接触することはなく、携帯用工具用シートに印刷されている色が壁等に付着することを防止することができる。
【００７０】
また、携帯用工具用カバーをドロ等で汚した場合であっても、携帯用工具用カバーから簡単に汚れを落とすことができ、携帯用工具の美観を保つことができる。
【００７１】
また、携帯用工具のメーカーの側で製造段階において外枠部の色分けや作り分けをせずにユーザの好みに合わせた個性化に対応することが可能になり、コスト面や流通の面で非常に有利である。また、携帯用工具用シートのデザインは、ユーザの好みで選ぶが、飽きたら携帯用工具用シートを交換することで、容易に違うデザインに変えることができる。
【００７２】
また、携帯用工具用シート携帯用工具用カバーによって覆われているので、携帯用工具用シートに印刷された模様等が色落しにくく、また、模様等に傷がつきにくく、携帯用工具用シートの寿命を長くすることができる。
【００７３】
請求項３、８、１７記載の携帯用工具用カバー、携帯用工具と携帯用工具用カバーとの組合せ、及び携帯用工具と携帯用工具用カバーと携帯用工具用シートとの組合せによれば、携帯用工具用カバーは、ネジ座を覆うようにして外枠部に装着される装着部を備えているため、白い壁際等で携帯用工具を用いた場合に、外枠部外方へ突出するネジ座の位置等が白い壁にこすれた場合であっても、携帯用工具用シートが直接壁等に接触することはなく、携帯用工具用シートに印刷されている色が壁等に付着することを防止することができる。
【００７４】
請求項４、９、１８記載の携帯用工具用カバー、携帯用工具と携帯用工具用カバーとの組合せ、及び携帯用工具と携帯用工具用カバーと携帯用工具用シートとの組合せによれば、外枠部が先細り形状部を備え、先細り形状部の外側面上に携帯用工具用シートが載置され、カバーは、先細り形状部の形状に倣った中空円筒形状をなし、内周面が携帯用工具用シート及び先細り形状部に当接して外枠部に装着されるため、携帯用工具用シートの裏面が粘着性を有していない場合に、携帯用工具用シートを外枠部上に載置した後に携帯用工具用カバーを装着しているときに、携帯用工具用シートが携帯用工具用カバーの内周面と接触しにくい。このため、外枠部上の携帯用工具用シートの載置されている位置がずれてしまうのを防止することができる。
【００７５】
請求項５、１０、１９記載の携帯用工具用カバー、携帯用工具と携帯用工具用カバーとの組合せ、及び携帯用工具と携帯用工具用カバーと携帯用工具用シートとの組合せによれば、先細り形状部の先端側の端面部には、携帯用工具用カバーの移動を阻止するためのフロントキャップが移動不能に設けられているため、携帯用工具用カバーを外枠部に対して移動不能とすることができる。このため、携帯用工具用カバーを、剛性のある固めの材料で作ることができる。このため、携帯用工具用カバーを長持ちさせることができる。
【００７６】
また、フロントキャップは外枠部に対して着脱可能であるため、容易に携帯用工具用カバーの装着及び取り外しをすることができ、また、容易に携帯用工具用シートの装着及び交換をすることができる。
【００７７】
請求項１４記載の携帯用工具と携帯用工具用カバーと携帯用工具用シートとの組合せによれば、外枠部に接触する携帯用工具用シートの面は粘着性を有しているため、携帯用工具用カバーを外枠部に装着する際に、外枠上に装着された携帯用工具用シートの位置がずれてしまうことを防止することができる。
【００７８】
請求項１５記載の携帯用工具と携帯用工具用カバーと携帯用工具用シートとの組合せによれば、携帯用工具用シートは一枚の大シート上に複数個印刷されているため、ユーザは好みの図柄や模様、色の携帯用工具用シートを自由に選択することができる。
【００７９】
請求項２０記載の携帯用工具と携帯用工具用カバーと携帯用工具用シートとの組合せによれば、携帯用工具用シートは携帯用工具の販売店又は携帯用工具のユーザへ配布されたデータに基づいて販売店又はユーザが印刷してなるようにしたため、メーカー側で携帯用工具用シートを携帯用工具とともに製造して梱包する必要が無く、また、販売店のサービスとして携帯用工具用シートを製造してユーザに提供したり、ユーザが家庭で手軽に携帯用工具用シートを製造したりすることができる。
【００８０】
請求項２１記載の携帯用工具と携帯用工具用カバーと携帯用工具用シートとの組合せによれば、データの配布がインターネット又は記憶媒体を介して行われるようにしたため、世界中の任意の場所へ多数のデータを供給することができる。特に、インターネットでメーカーがデータを供給する場合には、メーカーは全世界に多数のデータを提供することができ、ユーザや販売店は、いつでもどこでも即座にデータを入手して印刷して、携帯用工具用シートを作成することができる。
【図面の簡単な説明】
【図１】本発明の実施の形態による携帯用工具を示す斜視図。
【図２】本発明の実施の形態による携帯用工具を示す断面図。
【図３】本発明の実施の形態による携帯用工具、携帯用工具用カバー、携帯用工具用シートを示す斜視図。
【図４】本発明の実施の形態による携帯用工具用シートが複数印刷された大シートを示す平面図。
【図５】本発明の実施の形態の変形例による携帯用工具用シートを示す平面図。
【図６】本発明の実施の形態の他の変形例による携帯用工具用シートを示す平面図。
【図７】本発明の実施の形態の他の変形例による携帯用工具用シートを示す平面図。
【図８】本発明の実施の形態の他の変形例による携帯用工具に携帯用工具用シート及び携帯用工具用カバーが装着された様子を示す平面図。
【図９】本発明の実施の形態の他の変形例による携帯用工具に携帯用工具用シート及び携帯用工具用カバーが装着された様子を示す平面図。
【図１０】本発明の実施の形態の他の変形例による携帯用工具用シート、携帯用工具用カバーのユーザへの提供の方法を示すフローチャート。
【図１１】本発明の実施の形態の他の変形例による携帯用工具用シート、携帯用工具用カバーのユーザへの提供の方法を示すフローチャート。
【図１２】本発明の実施の形態の他の変形例による携帯用工具用シート、携帯用工具用カバーのユーザへの提供の方法を示すフローチャート。
【図１３】従来の携帯用工具を示す斜視図。
【図１４】従来の携帯用工を用いてネジ締めを行っている様子を示す側面図。
【符号の説明】
１・・・携帯用工具  １１・・・動力部  １２・・・機構部  １３・・・先端工具部  １４、２２・・・外枠部  １４Ａ・・・樹脂部  １４Ｂ・・・ハンマケース  １４Ｃ、１４Ｄ・・・ネジ座  １４Ｅ・・・先端側の端面部  １４Ｆ・・・基端部  ２１・・・バッテリ  ３０・・・大シート  ３１・・・携帯用工具用シート  ４０・・・携帯用工具用カバー  ４０Ａ・・・装着部  ５０・・・フロントキャップ
【図１】
2004174688.tif 000003
【図２】
2004174688.tif 000004
【図３】
2004174688.tif 000005
【図４】
2004174688.tif 000006
【図５】
2004174688.tif 000007
【図６】
2004174688.tif 000008
【図７】
2004174688.tif 000009
【図８】
2004174688.tif 000010
【図９】
2004174688.tif 000011
【図１０】
2004174688.tif 000012
【図１１】
2004174688.tif 000013
【図１２】
2004174688.tif 000014
【図１３】
2004174688.tif 000015
【図１４】
2004174688.tif 000016